【手続補正書】
【提出日】平成17年3月14日(2005.3.14)
【手続補正１】
【補正対象書類名】明細書
【補正対象項目名】発明の名称
【補正方法】変更
【補正の内容】
【発明の名称】カバー部材の販売方法
【手続補正２】
【補正対象書類名】明細書
【補正対象項目名】特許請求の範囲
【補正方法】変更
【補正の内容】
【特許請求の範囲】
【請求項１】
ネットワークに接続された情報端末により送信されたユーザのデザインしたデザイン情報と当該デザイン情報を他のユーザに提供することの可否情報、あるいは他のユーザがデザインしたデザイン情報の少なくとも一方を含む音響機器のカバー部材の発注情報を受信し、
受信した発注情報にユーザがデザインしたデザイン情報及び当該デザイン情報を他のユーザに提供することを同意する旨の可否情報が含まれている場合は、デザイン記憶手段に受信した前記デザイン情報を記憶し、
このデザイン記憶手段に記憶されたデザイン情報をネットワークを介して他のユーザの情報端末に送信し、
この受信した前記デザイン情報に基づいてインクジェット印刷方法により布帛部材に印刷を施し、この印刷された布帛部材を前記音響機器のカバー部材として前記ユーザに引き渡し、
前記印刷された布帛部材を受領したユーザの発注情報に他のユーザがデザインしたデザイン情報が含まれていた場合には前記ユーザにデザイン料を上乗せした料金を請求し、
前記ユーザから請求したデザイン料を受領した際に、前記他のユーザに対して前記デザイン料を支払う、
ことを特徴とするカバー部材の販売方法。
【請求項２】
更に、前記ユーザが前記ネットワークに接続された情報端末で前記デザイン情報をデザインする為のデザインプログラムを前記ネットワークを介して前記情報端末に送信する送信手段を具備していることを特徴とする請求項１に記載のカバー部材の販売方法。
【請求項３】
前記ユーザに引き渡す前記カバー部材は、前記音響機器の機器ケースの一部を構成するフレーム部材に前記布帛部材を覆ったものであり、前記情報処理装置によって受信したデザイン情報には前記音響機器の種類を特定する特定情報が含まれており、この特定情報によって前記フレーム部材が選ばれることを特徴とする請求項１記載のカバー部材の販売方法。
【手続補正３】
【補正対象書類名】明細書
【補正対象項目名】０００１
【補正方法】変更
【補正の内容】
【０００１】
【発明の属する技術分野】
本発明は、販売された音響機器のカバー部材の販売方法に関する。
【手続補正４】
【補正対象書類名】明細書
【補正対象項目名】０００５
【補正方法】変更
【補正の内容】
【０００５】
したがって、本発明の目的は、デザインを重視するユーザが、自分好みのデザインを有する音響機器を所有できるようにする為に、低コストで優れた音響機器のカバー部材を販売するための販売方法を提供することである。
【手続補正５】
【補正対象書類名】明細書
【補正対象項目名】０００６
【補正方法】変更
【補正の内容】
【０００６】
【課題を解決するための手段】
前記目的を達成するため、本発明に係る請求項第１項記載のカバー部材の販売方法は、ネットワークに接続された情報端末により送信されたユーザのデザインしたデザイン情報と当該デザイン情報を他のユーザに提供することの可否情報、あるいは他のユーザがデザインしたデザイン情報の少なくとも一方を含む音響機器のカバー部材の発注情報を受信し、受信した発注情報にユーザがデザインしたデザイン情報及び当該デザイン情報を他のユーザに提供することを同意する旨の可否情報が含まれている場合は、デザイン記憶手段に受信した前記デザイン情報を記憶し、このデザイン記憶手段に記憶されたデザイン情報をネットワークを介して他のユーザの情報端末に送信し、この受信した前記デザイン情報に基づいてインクジェット印刷方法により布帛部材に印刷を施し、この印刷された布帛部材を前記音響機器のカバー部材として前記ユーザに引き渡し、前記印刷された布帛部材を受領したユーザの発注情報に他のユーザがデザインしたデザイン情報が含まれていた場合には前記ユーザにデザイン料を上乗せした料金を請求し、前記ユーザから請求したデザイン料を受領した際に、前記他のユーザに対して前記デザイン料を支払う、ことを特徴とする。
【手続補正６】
【補正対象書類名】明細書
【補正対象項目名】０００７
【補正方法】変更
【補正の内容】
【０００７】
この販売方法によれば、ユーザ自身がデザインしたカバー部材をインクジェット印刷により布帛に行うので、任意のユーザ好みのデザインを多色でかつ鮮明に印刷することができ、しかも発注情報はユーザよりネットワークを介して受信するので、発注に要するユーザの負担は少なくて済み、ユーザは自分の希望する時刻、場所から発注することができる。この様な方法でユーザにカバー部材を販売することにより、ユーザは購入したカバー部材を音響機器のカバー部材と交換することが出来、音響機器をデザインが優れたオリジナルな音響機器に仕立て上げることが出来る。
また、カバー部材の発注に際し、ユーザは一部、もしくは全てを送信手段で送られてくるカバー部材のデザインの中から選択することが出来、デザインの手間を省けるようになる。
さらにユーザが、自分のデザインを他の人に使用してもらうことが出来るようにし、もし使用された場合には、デザイン料がユーザーに支払われる様になる。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】